(57)【要約】【課題】無線通信端末が通信を行う局面に応じて、より好ましい無線基地局のスキャン処理を行うことにより、ハンドオーバに要する時間を短縮化する技術を提供する。【解決手段】無線通信端末１０は、ルータ９０Ａからの受信信号の信号強度が閾値を下回る場合であって、通話など連続的にデータを送受信する所定のアプリケーションを実行しているときに、ハンドオーバ先となる他の無線基地局をスキャンするためのスキャン対象とするチャネルの数を設定して時分割で所定のアプリケーションの実行と設定されたチャネル数によるスキャン処理とを逐次実行し、所定のアプリケーションを実行していないときに、スキャン対象として全てのチャネルを一括してスキャン対象としてスキャン処理を逐次実行する。スキャン処理の結果、ハンドオーバの対象となるルータ９０Ｂを捕捉した場合に、ルータ９０Ｂへと接続先を切り替えるための処理を行う。【選択図】図１
2016146525.tif 000002
【特許請求の範囲】
【請求項１】
無線通信端末であって、
アンテナを介して無線信号を送受信し、無線基地局から受信する受信信号の信号強度を測定する通信部と、
前記無線通信端末の動作を制御し、前記無線基地局と連続的にデータを送受信する所定のアプリケーションを実行可能に構成される制御部とを備え、
前記制御部は、
前記測定される信号強度が閾値を下回る場合であって、前記所定のアプリケーションを実行しているときに、ハンドオーバ先となる他の無線基地局をスキャンするためのスキャン対象とするチャネルの数を示す第１のチャネル数を設定して時分割で前記所定のアプリケーションの実行と前記設定された前記第１のチャネル数によるスキャン処理とを逐次実行し、前記所定のアプリケーションを実行していないときに、スキャン対象として前記第１のチャネル数よりも多い第２のチャネル数を設定して前記スキャン処理を逐次実行するスキャン処理部と、
前記スキャン処理の結果、ハンドオーバの対象となる他の無線基地局を捕捉した場合に、当該他の無線基地局へと接続先を切り替えるための処理を行うハンドオーバ処理部とを含む、無線通信端末。
【請求項２】
前記制御部の前記スキャン処理部は、前記所定のアプリケーションを実行していないときに、前記第２のチャネル数として、無線基地局との通信に使用可能な全てのチャネルを設定し、スキャン対象の各チャネルを一括してスキャンするよう構成されている、請求項１に記載の無線通信端末。
【請求項３】
前記無線通信端末は、さらに、
前記設定される前記第１のチャネル数を記憶するための記憶部を備え、
前記制御部は、前記記憶部に記憶される前記第１のチャネル数を変更可能に構成されている、請求項１または２に記載の無線通信端末。
【請求項４】
前記所定のアプリケーションは、通話アプリケーションを含み、
前記スキャン処理部は、前記測定される信号強度が閾値を下回る場合であって、前記無線通信端末が通話中であるときに、前記通話アプリケーションの実行と第１のチャネル数によるスキャン処理とを時分割で逐次実行し、前記無線通信端末が非通話であるときに、前記第２のチャネル数を設定して前記スキャン処理を逐次実行するよう構成されている、請求項１から３のいずれか１項に記載の無線通信端末。
【請求項５】
アンテナを介して無線基地局と無線信号を送受信する無線通信端末が、接続先とする前記無線基地局を切り替える方法であって、
前記無線通信端末が、前記無線基地局から受信する受信信号の信号強度を測定するステップと、
前記無線通信端末が、前記測定される信号強度が閾値を下回る場合であって、前記無線基地局と連続的にデータを送受信する所定のアプリケーションを実行しているときに、ハンドオーバ先となる他の無線基地局をスキャンするためのスキャン対象とするチャネルの数を示す第１のチャネル数を設定して時分割で前記所定のアプリケーションの実行と前記設定された前記第１のチャネル数によるスキャン処理とを逐次実行し、前記所定のアプリケーションを実行していないときに、スキャン対象として前記第１のチャネル数よりも多い第２のチャネル数を設定して前記スキャン処理を逐次実行するステップと、
前記無線通信端末が、前記スキャン処理の結果、ハンドオーバの対象となる他の無線基地局を捕捉した場合に、当該他の無線基地局へと接続先を切り替えるための処理を行うステップとを含む、方法。
【発明の詳細な説明】
【技術分野】
【０００１】
本開示は、無線通信端末に関し、特に、無線通信端末が無線基地局を切り替えるハンドオーバ処理をするための技術に関する。
【背景技術】
【０００２】
近年、スマートフォン、タブレット、ラップトップ型ＰＣ（Personal  Computer）などの無線通信端末が広く普及しており、これら無線通信端末の軽量化が進むことで、様々な場面で利用されている。ラップトップ型ＰＣの中には、ディスプレイとキーボードとが分離可能となっているものもあり、これらを分離することで、タブレットとして使用することができるものもある。また、近年、スマートフォンのディスプレイサイズが大型化してきており、４インチ〜６インチのディスプレイを有するスマートフォンも利用されている。スマートフォンのディスプレイの大型化とともに、スマートフォンおよびタブレットの機能を併せ持つ端末として、いわゆる「ファブレット（Phablet）」と呼ばれる端末も登場してきている。また、近年、例えば腕時計型のウェアラブルデバイスも登場してきている。
【０００３】
このような無線通信端末は、ＩＥＥＥ（The  Institute  of  Electrical  and  Electronic  Engineers）８０２．１１規格などの無線通信規格に対応して、無線基地局と通信を行う。無線基地局と無線通信端末とが通信可能な距離は、規格に応じて様々ある。無線通信端末の移動に伴って無線基地局からの信号が届きにくくなると、無線通信端末の通信が行えなくなるため、無線通信端末は、無線通信を行う無線基地局を切り替えるハンドオーバ処理に対応している。
【０００４】
無線通信端末におけるハンドオーバ処理を効率よく行うため、様々な技術が検討されている。例えば、特開２００５−１７５９３２号公報（特許文献１）は、無線ＬＡＮ（Local  Area  Network）ハンドオーバ処理方式に関し、特に受信レベルが弱くなると周辺の無線ＬＡＮ基地局のスキャン処理を時分割で並行処理することで、受信レベルの大きい他の無線ＬＡＮ基地局に移動端末自らハンドオーバする技術を記載している。
【先行技術文献】
【特許文献】
【０００５】
【特許文献１】特開２００５−１７５９３２号公報
【発明の概要】
【発明が解決しようとする課題】
【０００６】
特許文献１に記載された技術によると、無線ＬＡＮ端末は、受信信号レベルが通信に十分な品質よりも大きく下回るにつれて、スキャン処理時間を長く設定する。無線ＬＡＮ端末は、受信信号レベルが弱くなった時点でハンドオーバ処理を能動的に開始し、データ送受信処理と周辺の無線ＬＡＮ基地局の受信信号レベルのスキャン処理を時分割で並行して行いながら、無線ＬＡＮ端末自らが別の無線ＬＡＮ基地局へのハンドオーバタイミングを決定する。特許文献１に記載された技術によると、データ送受信処理とスキャン処理とを時分割で並行して行うため、送受信タイムアウトを生じる可能性が低くなる。
【０００７】
しかし、必ずしもデータ送受信処理とスキャン処理とを並行して行うことが必要となるわけではない。例えば、無線通信端末がリアルタイムの通信を行うことが不要な局面では、データ送受信処理とスキャン処理とを並行して行わなくともよいことがある。そのため、特許文献１の技術によると、時分割でデータ送受信処理とスキャン処理とを行う必要が比較的小さい場合に、スキャン完了までの時間が長くなり、無線ＬＡＮ基地局を検索する時間が長期化し、ハンドオーバに時間を要するという課題がある。
【０００８】
本開示は、無線通信端末が通信を行う局面に応じて、より好ましい無線基地局のスキャン処理を行うことにより、ハンドオーバに要する時間を短縮化する技術を提供することを目的としている。
【課題を解決するための手段】
【０００９】
一実施形態に従う無線通信端末は、アンテナを介して無線信号を送受信し、無線基地局から受信する受信信号の信号強度を測定する通信部と、無線通信端末の動作を制御し、無線基地局と連続的にデータを送受信する所定のアプリケーションを実行可能に構成される制御部とを備える。制御部は、測定される信号強度が閾値を下回る場合であって、所定のアプリケーションを実行しているときに、ハンドオーバ先となる他の無線基地局をスキャンするためのスキャン対象とするチャネルの数を示す第１のチャネル数を設定して時分割で所定のアプリケーションの実行と設定された第１のチャネル数によるスキャン処理とを逐次実行し、所定のアプリケーションを実行していないときに、スキャン対象として第１のチャネル数よりも多い第２のチャネル数を設定してスキャン処理を逐次実行するスキャン処理部と、スキャン処理の結果、ハンドオーバの対象となる他の無線基地局を捕捉した場合に、当該他の無線基地局へと接続先を切り替えるための処理を行うハンドオーバ処理部とを含む。
【発明の効果】
【００１０】
一実施形態に従う無線通信端末は、連続的にデータを送受信する所定のアプリケーションの実行時、例えば通話時には時分割でスキャンを行うことにより、通信がタイムアウトになる可能性を小さくしつつ、所定のアプリケーションが実行されていないときは、より長い期間を用いて無線基地局をスキャンするため、ハンドオーバ先となる無線基地局のスキャンを完了するまでの期間を短縮化することができる。
【００１１】
この発明の上記および他の目的、特徴、局面および利点は、添付の図面と関連して理解されるこの発明に関する次の詳細な説明から明らかとなるであろう。
【図面の簡単な説明】
【００１２】
【図１】実施の形態１の無線通信端末１０が通信する無線基地局を、ハンドオーバ処理によって切り替える状況を示す図である。
【図２】無線通信端末１０の構成を示すブロック図である。
【図３】受信信号レベル１５３のデータ構造を示す図である。
【図４】無線通信端末１０がアプリケーションの実行状態に応じてハンドオーバを実行する処理を示すフローチャートである。
【図５】無線通信端末１０のハンドオーバ処理の動作例を示す図である。
【発明を実施するための形態】
【００１３】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１４】
＜技術思想＞
本実施形態にかかる無線通信端末のハンドオーバ処理について、まず概要を説明する。無線通信端末は、無線基地局と通信し、受信信号の信号強度が閾値を下回ると、ハンドオーバ先となる無線基地局をスキャンするためのスキャン処理を行う。このスキャン処理の際、無線通信端末は、連続的にデータを送受信するアプリケーションを実行しているか否かを判定する。連続的にデータを送受信するアプリケーションとは、例えば、通話処理のように、通信先の無線通信端末と逐次音声データを送受信する処理や、ストリーミングデータの受信処理などである。無線通信端末は、連続的にデータを送受信するアプリケーションを実行しているか否かの判定結果に応じて、無線基地局をスキャンするためのスキャン方法を変更する。
【００１５】
具体的には、（１）連続的にデータを送受信するアプリケーションを実行している場合（例えば、通話中）、無線通信端末は、通信に使用する各チャネルのうち、スキャン対象とするチャネル数を設定して、時分割で、連続的にデータを送受信するアプリケーションの実行と、スキャン処理とを行う。これにより、無線通信端末は、一定の時間間隔においてスキャン処理の時間を比較的短くしつつ通話アプリケーションを実行することで、音切れを防止する。また、（２）連続的にデータを送受信するアプリケーションを実行していない場合（例えば、非通話中）、無線通信端末は、全てのチャネルを一括してスキャン対象としてスキャン処理を実行する。これにより、（１）の場合と比較して、ハンドオーバ先となる無線基地局を早期にスキャンして、ハンドオーバに要する時間を短縮化する。こうすることで、無線通信端末は、連続的にデータを送受信するアプリケーションを実行しているか否か（例えば、通話中であるか非通話中であるか）に応じて、それぞれで最適なスキャンを実施することができる。
【００１６】
＜実施の形態１＞
図１は、実施の形態１の無線通信端末１０が通信する無線基地局を、ハンドオーバ処理によって切り替える状況を示す図である。無線通信端末１０は、例えば、スマートフォン、タブレット、折り畳み式の携帯電話機その他の無線通信端末である。
【００１７】
図１に示すように、ネットワーク１は、有線ＬＡＮ（Local  Area  Network）に、ルータ９０Ａ、ルータ９０Ｂ、ラップトップ型ＰＣ（Personal  Computer）１１などが接続されている。ルータ９０Ａおよびルータ９０Ｂは、無線基地局として機能するブロードバンドルータであり、インターネット等の通信網と接続する。無線通信端末１０は、ＩＥＥＥ（Institute  of  Electrical  and  Electronic  Engineers）８０２．１１などの無線ＬＡＮ（Local  Area  Network）規格に対応し、ルータ９０Ａおよびルータ９０Ｂと無線通信する。無線通信端末１０は、ＬＴＥ（Long  Term  Evolution）、ＣＤＭＡ（Code  Division  Multiple  Access）、およびＷｉＭＡＸ（Worldwide  Interoperability  for  Microwave  Access）などの規格に従って、移動体通信システムにおける無線基地局（図示していない）と無線通信する。ラップトップ型ＰＣ１１は、有線ＬＡＮと接続し、ルータ９０Ａ等を介してインターネットへアクセスすることができる。
【００１８】
ルータ９０Ａは、通信エリア９１Ａの範囲にある無線通信端末１０と通信することができる。ルータ９０Ｂは、通信エリア９１Ｂの範囲にある無線通信端末１０と通信することができる。図１では、無線通信端末１０の移動に伴って、通信に使用する無線基地局（ルータ９０Ａおよびルータ９０Ｂ）を切り替える様子を示している。状態ＳＡにおいて、無線通信端末１０は、通信エリア９１Ａの範囲内にあるため、ルータ９０Ａと通信する。無線通信端末１０が移動することに伴い、状態ＳＢの位置に無線通信端末１０が位置しているとする。このとき、無線通信端末１０は、通信エリア９１Ａおよび通信エリア９１Ｂの範囲内にある。無線通信端末１０は、ルータ９０Ａと距離が離れ、通信エリア９１Ａの圏外へと移動しようとしている。このとき、無線通信端末１０は、ハンドオーバ処理により、ルータ９０Ａからルータ９０Ｂへと接続先を切り替える。無線通信端末１０が状態ＳＢの位置から移動して状態ＳＣの位置にあるとする。このとき、無線通信端末１０は、通信エリア９１Ｂの範囲内にあるため、ルータ９０Ｂと通信する。
【００１９】
図２は、無線通信端末１０の構成を示すブロック図である。図２に示すように、無線通信端末１０は、アンテナ１０１と、無線通信部１１１と、操作受付部（タッチパネル）１４１と、ディスプレイ１４２と、音声処理部１４６と、マイク１４７と、スピーカ１４８と、記憶部１５０と、制御部１６０とを含む。
【００２０】
アンテナ１０１は、無線通信端末１０が発する信号を電波として放射する。また、アンテナ１０１は、空間から電波を受信して受信信号を無線通信部１１１へ与える。本実施形態では、無線通信端末１０は、複数の無線通信規格に対応しており、ＩＥＥＥ（Institute  of  Electrical  and  Electronic  Engineers）８０２．１１などの無線ＬＡＮ規格に対応する。
【００２１】
無線通信部１１１は、無線通信端末１０が他の無線機器と通信するため、アンテナ１０１等を介して信号を送受信するための変復調処理などを行う。無線通信部１１１は、アンテナ１０１を介して受信した受信信号の信号強度を測定する信号強度測定部１１２を含む。信号強度測定部１１２は、例えば、ＲＳＳＩ（Received  Signal  Strength  Indicator）算出回路を含む。無線通信部１１１は、チューナー、ＣＲＣ（Cyclic  Redundancy  Check）算出回路、高周波回路などを含む通信モジュールである。無線通信部１１１は、無線通信端末１０が送受信する無線信号の変復調や周波数変換を行い、受信信号を制御部１６０へ与える。
【００２２】
タッチパネル１４１は、ユーザの入力操作を受け付ける。タッチパネル１４１は、例えば静電容量方式のものを用いることによって、ユーザの接触位置を検出する。タッチパネル１４１は、検出したユーザの接触位置を示す信号を入力操作として制御部１６０へ出力する。
【００２３】
ディスプレイ１４２は、制御部１６０の制御に応じて、画像、動画、テキストなどのデータを表示する。ディスプレイ１４２は、例えばＬＣＤ（Liquid  Crystal  Display）や有機ＥＬ（Electro-Luminescence）ディスプレイによって実現される。
【００２４】
音声処理部１４６は、音声信号の変復調を行う。音声処理部１４６は、マイク１４７から与えられる信号を変調して、変調後の信号を制御部１６０へ与える。また、音声処理部１４６は、音声信号をスピーカ１４８へ与える。音声処理部１４６は、例えば音声処理用のプロセッサによって実現される。マイク１４７は、音声入力を受け付けて、当該音声入力に対応する音声信号を音声処理部１４６へ与える。スピーカ１４８は、音声処理部１４６から与えられる音声信号を音声に変換して当該音声を無線通信端末１０の外部へ出力する。
【００２５】
記憶部１５０は、例えばフラッシュメモリ等により構成され、無線通信端末１０が使用するデータおよびプログラムを記憶する。ある局面において、記憶部１５０は、スキャン閾値１５１と、スキャン分割チャネル数１５２と、受信信号レベル１５３とを記憶する。スキャン閾値１５１は、無線通信端末１０が無線基地局からの受信信号の信号強度を測定し、測定した信号強度と比較するための閾値である。無線通信端末１０は、無線基地局から受信する受信信号の信号強度が、スキャン閾値１５１に記憶される閾値を上回る場合は、当該無線基地局と通信し、閾値を下回る場合は、ハンドオーバ先となる別の無線基地局をスキャンする。スキャン分割チャネル数１５２は、無線通信端末１０が時分割でハンドオーバ先となる無線基地局をスキャンする場合（連続的にデータを送受信するアプリケーションを実行している場合）に、無線通信端末１０が、ハンドオーバ先となる他の無線基地局をスキャンするためのスキャン対象のチャネルの数の設定を示す。受信信号レベル１５３は、信号強度測定部１１２によって測定される、各無線基地局から受信する受信信号の信号強度を示す。
【００２６】
制御部１６０は、記憶部１５０に記憶される制御プログラムを読み込んで、当該制御プログラムに含まれる命令を実行することにより、無線通信端末１０の動作を制御する。制御部１６０は、例えばアプリケーションプロセッサである。制御部１６０は、プログラムに従って動作することにより、通話状態判定部１６１と、スキャン閾値比較部１６２と、スキャン処理部１６３と、ハンドオーバ処理部１６４としての機能を発揮する。
【００２７】
通話状態判定部１６１は、無線通信端末１０が連続的にデータを送受信するアプリケーションとして、通話処理を行っているか否かを判定する。
【００２８】
スキャン閾値比較部１６２は、記憶部１５０に記憶されるスキャン閾値１５１と受信信号レベル１５３とに基づいて、無線基地局から受信する受信信号の信号強度と、スキャン閾値１５１とを比較して比較結果を出力する。
【００２９】
スキャン処理部１６３は、無線基地局から受信する受信信号の信号強度の測定結果がスキャン閾値１５１を下回る場合に、ハンドオーバ先となる無線基地局をスキャンする処理を行う。スキャン処理部１６３は、受信信号の信号強度がスキャン閾値１５１を下回る場合であって、連続的にデータを送受信するアプリケーション（例えば、通話処理）を実行していると通話状態判定部１６１によって判定されるときに、ハンドオーバ先となる他の無線基地局をスキャンするためのスキャン対象とするチャネル数をスキャン分割チャネル数１５２に基づき設定して、時分割で、連続的にデータを送受信するアプリケーションの実行と、設定されたチャネル数によるスキャン処理とを逐次実行する。また、スキャン処理部１６３は、受信信号の信号強度がスキャン閾値１５１を下回る場合であって、連続的にデータを送受信するアプリケーション（例えば、通話処理）を実行していないと通話状態判定部１６１によって判定されるときに、スキャン対象としてスキャン分割チャネル数１５２に示されるチャネル数よりも多いチャネル数を設定（例えば、全てのチャネルをスキャン対象として設定）してスキャン処理を実行する。
【００３０】
ハンドオーバ処理部１６４は、スキャン処理部１６３によるスキャン処理の結果、ハンドオーバの対象となる他の無線基地局を捕捉した場合に、当該他の無線基地局へと接続先を切り替えるための処理を行う。
【００３１】
なお、無線通信端末１０は、記憶部１５０に記憶されるスキャン閾値１５１およびスキャン分割チャネル数１５２を変更することができる。
【００３２】
＜データ＞
図３を参照して、本実施形態で使用するデータの構造を説明する。
【００３３】
図３は、受信信号レベル１５３のデータ構造を示す図である。図３に示すように、受信信号レベル１５３は、基地局識別情報１５３Ａと、ＭＡＣアドレス（Media  Access  Control  address）１５３Ｂと、受信信号レベル１５３Ｃとを対応付けたものである。無線通信端末１０は、各無線基地局のＭＡＣアドレスと、受信信号レベルとを記憶部１５０に格納する。無線通信端末１０は、ビーコン信号を受信することで、無線通信端末１０が接続している無線基地局と、周囲に存在する無線基地局とからの受信信号レベルを測定する。
【００３４】
＜動作＞
図４を参照して、無線通信端末１０の動作について説明する。
【００３５】
図４は、無線通信端末１０がアプリケーションの実行状態に応じてハンドオーバを実行する処理を示すフローチャートである。例えば、無線通信端末１０は、無線基地局からのビーコン信号を受信する都度、ステップＳ１０１およびステップＳ１０３の処理を行う。
【００３６】
ステップＳ１０１において、無線通信端末１０の制御部１６０は、信号強度測定部１１２により、接続している無線基地局からの受信信号の信号強度（受信信号レベル）を測定する。
【００３７】
ステップＳ１０３において、制御部１６０は、測定された受信信号レベルが、スキャン閾値１５１に示される閾値以下であるか否かを判定する。受信信号レベルが閾値を上回る場合（ステップＳ１０３においてＮＯ）、制御部１６０は、ステップＳ１０１の処理を行う。受信信号レベルが閾値以下の場合（ステップＳ１０３においてＹＥＳ）、制御部１６０は、ステップＳ１０５の処理を行う。
【００３８】
ステップＳ１０５において、制御部１６０は、無線通信端末１０が通話中の状態であるか否かを判定する。通話中である場合（ステップＳ１０５において「通話中」）、制御部１６０は、ステップＳ１０７の処理を行い、そうでない場合（ステップＳ１０５において「非通話」）、制御部１６０は、ステップＳ１０９の処理を行う。
【００３９】
ステップＳ１０７において、制御部１６０は、ハンドオーバ先となる他の無線基地局をスキャンするためのスキャン対象とするチャネルの数をスキャン分割チャネル数１５２から読み出して、読み出したチャネル数を設定する。
【００４０】
ステップＳ１０９において、制御部１６０は、すべてのチャネルを一括スキャンするよう、スキャン対象とするチャネルの数を設定する。
【００４１】
ステップＳ１１１において、制御部１６０は、設定されたチャネル数に従って、ハンドオーバ先となる他の無線基地局をスキャンする処理を行う。
【００４２】
ステップＳ１１３において、制御部１６０は、ハンドオーバ先となる他の無線基地局を捕捉した場合は、当該他の無線基地局へと接続先を切り替えるためのハンドオーバ処理を行う。
【００４３】
図５は、無線通信端末１０のハンドオーバ処理の動作例を示す図である。図５の状態（Ａ）は、無線通信端末１０が、連続的にデータを送受信するアプリケーションとして通話処理を実行している場合のハンドオーバ処理を示す。図５の状態（Ｂ）は、無線通信端末１０が、連続的にデータを送受信するアプリケーションを実行していない場合（非通話）のハンドオーバ処理を示す。
【００４４】
図５の状態（Ａ）において、横軸は時間を示す。無線通信端末１０は、時刻Ｔ１から時刻Ｔ２の区間において、無線基地局Ａと通信することにより、他の端末と音声通話を行っているとする（図１の状態ＳＡ）。時刻Ｔ２から時刻Ｔ３の区間において、無線通信端末１０が移動することに伴って、無線通信端末１０は、無線基地局Ａからの受信信号の信号強度が閾値を下回ると判定したとする（ステップＳ１０３）。この場合、無線通信端末１０は、スキャン分割チャネル数１５２を読み出して、スキャン対象とするチャネルの数を設定し（ステップＳ１０７）、音声通話アプリケーションと、スキャン処理とを時分割で行う。そのため、無線通信端末１０は、スキャン処理を実行しつつ、音声通話を途切れず実行することができる。スキャンの結果、ハンドオーバ先となる他の無線基地局が捕捉されると、無線通信端末１０は、当該他の無線基地局（図５の例では、無線基地局Ｂ）へ接続先を切り替えるためのハンドオーバ処理を行う（図１の状態ＳＢ）。時刻Ｔ３以降の区間において、無線通信端末１０は、無線基地局Ｂと音声データを通信する（図１の状態ＳＣ）。
【００４５】
図５の状態（Ｂ）において、無線通信端末１０は、時刻Ｔ１から時刻Ｔ２の区間において、無線基地局Ａと通信することにより、他の端末とデータを送受信する（図１の状態ＳＡ）。なお、図５の状態（Ｂ）において、無線通信端末１０は、リアルタイム性を要しないデータを送受信しているとする。時刻Ｔ２から時刻Ｔ３の区間において、無線通信端末１０が移動することに伴って、無線通信端末１０は、無線基地局Ａからの受信信号の信号強度が閾値を下回ると判定したとする（ステップＳ１０３）。この場合、無線通信端末１０は、スキャン対象として全てのチャネルを設定して（ステップＳ１０９）、スキャン処理を行う。スキャンの結果、ハンドオーバ先となる他の無線基地局が捕捉されると、無線通信端末１０は、当該他の無線基地局（無線基地局Ｂ）へ接続先を切り替えるためのハンドオーバ処理を行う（図１の状態ＳＢ）。時刻Ｔ３以降の区間において、無線通信端末１０は、無線基地局Ｂとデータを送受信する（図１の状態ＳＣ）。
【００４６】
以上のように構成された一実施形態の無線通信端末によると、連続的にデータを送受信するアプリケーション（例えば音声通話）を実行しているか否かに応じて、最適なスキャンを実行することができる。
【００４７】
本実施の形態に係る無線通信端末は、プロセッサと、その上で実行されるプログラムにより実現される。本実施の形態を実現するプログラムは、通信インタフェースを介してネットワークを利用した送受信等により提供される。
【００４８】
今回開示された実施の形態はすべての点で例示であって制限的なものでないと考えられるべきである。この発明の範囲は上記した説明ではなくて特許請求の範囲によって示され、特許請求の範囲と均等の意味および範囲内でのすべての変更が含まれることが意図される。
【符号の説明】
【００４９】
１０  無線通信端末、１０１  アンテナ、１１１  無線通信部、１１２  信号強度測定部、１４１  操作受付部、１４２  ディスプレイ、１４６  音声処理部、１４７  マイク、１４８  スピーカ、１５０  記憶部、１５１  スキャン閾値、１５２  スキャン分割チャネル数、１５３  受信信号レベル、１６０  制御部、１６１  通話状態判定部、１６２  スキャン閾値比較部、１６３  スキャン処理部、１６４  ハンドオーバ処理部。
【図１】
2016146525.tif 000003
【図２】
2016146525.tif 000004
【図３】
2016146525.tif 000005
【図４】
2016146525.tif 000006
【図５】
2016146525.tif 000007